(57)【要約】  本発明は、両方のディスクがアクセス面（１６）及びこのアクセス面でカバーされる記憶層を備え、この記憶層がアクセス面を介してレーザビームによりアクセスされる、第１のディスク（１１）及び第２のディスク（１２）を有する光データ記憶媒体であって、第１のディスク及び第２のディスクは、第１のディスクのアクセス面が、第２のディスクのアクセス面をカバーするように互いに取り付けられることを特徴とする光データ記憶媒体に関する。更に、本発明は、このような光データ記憶媒体の少なくとも１つの記憶層から情報を再生し、又はこの記憶層に情報を記録するための装置に関する。
2007534096.tif 000002
【特許請求の範囲】
【請求項１】
両方のディスクが、アクセス面及び前記アクセス面でカバーされる記憶層を備え、前記記憶層が前記アクセス面を介してレーザビームによりアクセスされる、第１のディスク及び第２のディスクを有する光データ記憶媒体であって、
前記第１のディスク及び前記第２のディスクは、前記第１のディスクの前記アクセス面が、前記第２のディスクの前記アクセス面をカバーするように互いに取り付けられることを特徴とする光データ記憶媒体。
【請求項２】
前記第１のディスクが、前記第２のディスクの前記アクセス面を受け入れるようなキャビティを前記アクセス面に備える、請求項１に記載の光データ記憶媒体。
【請求項３】
前記第１のディスクの前記キャビティが、前記第２のディスクの前記アクセス面のエッジに一致するエッジをもつ、請求項２に記載の光データ記憶媒体。
【請求項４】
前記第１のディスクの前記キャビティの前記エッジと、前記第２のディスクの前記アクセス面の前記エッジとが、両方とも同じ直径をもつ円を構成する、請求項３に記載の光データ記憶媒体。
【請求項５】
前記第１のディスクが、前記第１のディスクの前記アクセス面から垂直に突き出るカラムを有し、前記第２のディスクが、前記アクセス面に対向する面と、前記カラムを受け入れるための孔とを有し、前記孔が前記第２のディスクの前記アクセス面から前記対向面まで延在する、請求項１に記載の光データ記憶媒体。
【請求項６】
前記カラムの断面が、前記孔の断面に一致する、請求項５に記載の光データ記憶媒体。
【請求項７】
前記カラム及び前記孔の前記断面が、両方とも同じ直径をもつ円を構成する、請求項６に記載の光データ記憶媒体。
【請求項８】
前記カラムが前記孔に挿入される場合、前記カラムは、前記第２のディスクの前記対向面から突き出る、請求項５に記載の光データ記憶媒体。
【請求項９】
前記第１のディスクを前記第２のディスクに固定するために、前記第２のディスクの前記対向面から突き出る前記カラムの一部に取り付けられるロックを有する、請求項６に記載の光データ記憶媒体。
【請求項１０】
請求項１乃至９の何れか一項に記載の第１のディスク又は第２のディスク。
【請求項１１】
請求項１乃至１０の何れか一項に記載の光データ記憶媒体の少なくとも１つの記憶層から情報を再生し、又は前記記憶層に情報を記録するための装置であって、
第１のディスク及び第２のディスクの少なくとも１つを当該装置に挿入する手段と、
前記少なくとも１つの記憶層がレーザビームにより読み取り可能であるように、前記第１のディスク及び前記第２のディスクの少なくとも１つを位置付けし回転させる手段と
を有する装置。
【請求項１２】
前記第１のディスクと前記第２のディスクとを互いに分離させる手段を更に有する、請求項１１に記載の装置。
【発明の詳細な説明】
【技術分野】
【０００１】
本発明は、光記憶媒体と、このような光データ記憶媒体から情報を再生し、又はこの光記憶媒体に情報を記録するための装置とに関する。
【背景技術】
【０００２】
ＣＤ（コンパクトディスク）、ＤＶＤ（デジタル多用途ディスク）及びＢＤ（ブルーレイディスク）のような光記憶媒体は、簡単なディスク構造を利用する。ディスクは、反射材料から成る１つ又は複数の層から構成される。データを記憶するために、ランド、グルーブ及び／又はピットがこの材料に埋め込まれる。記憶層は保護層でカバーされる。反射型記憶層は、レーザビームを使用して書き込まれ、読み取られることができる。媒体の記憶容量を改善するために、短い波長λをもつレーザビームを発するレーザ光源が、新世代技術によって使用されている。これらのビームは、新世代技術では増大される開口数（ＮＡ）をもつ対物レンズによって光スポットにフォーカスされる。光スポットの直径は、λ/NAに比例する。減少される波長及び増大するＮＡにより、保護層の厚さは、ＣＤの場合の１．２ｍｍから、ＤＶＤの場合の０．６ｍｍまで、ついにはＢＤの場合の０．１ｍｍまで縮小することが必要とされる。将来の技術については、より一層薄い保護層が必要になり得る。
【発明の開示】
【発明が解決しようとする課題】
【０００３】
結果的に、保護層の厚さが減少する場合、記憶層に損傷を与えるリスクが高まる。表面をカバーする保護層は、光記憶ディスクの表面に対する引っかき傷及び付着物による物理的損傷を避けるために、非常に硬くなければならない。この問題は、光記憶媒体の将来の開発を制限する可能性がある。
【０００４】
従って、本発明の目的は、上述された問題を解決する光記憶媒体を提案することにある。
【０００５】
本発明の他の目的は、この光データ記憶媒体から情報を再生し、この光データ記憶媒体に情報を記録するための装置を提案することにある。
【課題を解決するための手段】
【０００６】
この最初の目的は、本発明によれば、第１のディスク及び第２のディスクを有する光データ記憶媒体によって達成された。両方のディスクは、アクセス面及びこのアクセス面でカバーされる記憶層を備える。記憶層は、アクセス面を介してレーザビームによりアクセスされる。第１のディスク及び第２のディスクは、第１のディスクのアクセス面が、第２のディスクのアクセス面をカバーするように互いに取り付けられる。情報を担持する媒体の構造は、単一のディスクから「２分割されたディスク構成」に変更される。この記憶媒体は、両方ともディスクである２つの部分から成り、これらの部分は、移動及び記憶のために物理的に一緒に結合されることができる。それゆえ、この概念は「分割ディスク（split disc，スプリットディスク）」と呼ばれる。これらのディスクのアクセス面は、保護層から成る。記憶層は、アクセス面の下方に位置付けられる。これらのディスクの内側の層は、情報担持層を含む。アクセス面の下側の情報担持層の深さは、高周波レーザが情報記憶層にアクセスするために使用されることを可能にするために、浅くてもよい。しかしながら、互いに取り付けられる第１及び第２のディスクの内側に情報を置くので、損傷のリスクは効果的に排除される。第１及び第２のディスクのアクセス面と、その結果として、記憶層とは、引っかき傷及び付着物にさらされない。ディスクという用語により、この媒体の形状が円形に限定されることを意味されるものではないことに留意されたい。いかなる他の形状、例えば、矩形、正方形、三角形などが、本発明の趣旨から逸脱することなく使用されてもよい。
【０００７】
好ましくは、第１のディスクが、第２のディスクのアクセス面を受け入れるようなキャビティをアクセス面に備える。第１のディスクのこのキャビティは、第２のディスクのアクセス面のエッジに一致するエッジをもつ。第１のディスクのキャビティのエッジと、第２のディスクのアクセス面のエッジとは、両方とも実質的に同じ直径をもつ円を構成してもよい。第１のディスクの直径は、第２のディスクの直径よりも僅かに大きい。従って、第２のディスクのアクセス面は、第１のディスクのキャビティ内に配置されることができる。第１のディスクのキャビティ即ち凹みは、 第２のディスクの厚さのパーセント、例えば、１〜５０％に近似する深さをもつ。両方のアクセス面は、この位置において環境の影響から保護される。第１及び第２のディスクは、これらのディスクがアクセス面に対して垂直な方向にだけ動かされることができるように互いに対して相対的に固定される。ディスクのアクセス面は、ダスト、流体又は粒子による損傷から封止される。
【０００８】
好ましくは、第１のディスクは、第１のディスクのアクセス面から垂直に突き出るカラムを有する。そのアクセス面と向かい合う表面をもつ第２のディスクは、第１のディスクのカラムを受け入れるための孔をもつ。好ましくは、この孔は、第２のディスクのアクセス面から対向面まで延在する。第１及び第２のディスクは、孔にカラムを位置付けることによって、互いに対して相対的に固定され得る。カラムは、孔を貫通するように構成される。好ましくは、カラムの断面が孔の断面に一致する。従って、カラムは、第１及び第２のディスクが互いにしっかりと固着されるように、孔の中にぴったり嵌合する。この状態で、カラムは、好ましくは、第２のディスクの対向面から突き出る。第１のディスクを第２のディスクに固定するために、ロックが、対向面から突き出るカラムの一部に取り付けられてもよい。
【０００９】
他の目的は、上記に説明された光データ記憶媒体の少なくとも１つの記憶層から情報を再生し、又はこの記憶層に情報を記録するための装置であって、
第１のディスク及び第２のディスクの少なくとも１つを当該装置に挿入する手段と、
少なくとも１つの記憶層がレーザビームにより読み取り可能であるように、第１のディスク及び第２のディスクの少なくとも１つを位置付けして回転させる手段とを有する装置によって達成された。
【００１０】
ある実施形態において、この装置は、更に、
第１のディスクと第２のディスクとを互いに分離させる手段を有する。このことは、ユーザが、第１のディスクと第２のディスクとを手動で分解する必要がないという利点をもつ。これにより、アクセス面に対する損傷の可能性が更に減少される。
【００１１】
本発明の好ましい実施形態は、添付の図面を参照して説明される。
【発明を実施するための最良の形態】
【００１２】
図１に示される光データ記憶媒体１０は、第１のディスク１１、第２のディスク１２及びロック（lock，係止部）１４を有している。カラム１３は、第１のディスク１１から突き出ている。このカラム１３に固着されるロック１４は、このカラム１３において摩擦把持（friction grip，フリクショングリップ）を実施する。ロック１４は、カラムのまわりに放射状に位置付けられる複数のラッチ又はばねクリップから成る。第１のディスク１１及び第２のディスク１２は、両方のディスクとも、円の形状をもつ。ディスクの直径は、その厚さよりもかなり大きい。
【００１３】
図２は、互いから分離された第１のディスク１１及び第２のディスク１２を示す。第２のディスク１２は孔１５を含み、第１のディスクはカラム１３を含む。孔１５及びカラム１３は、両方とも、双方のディスクの中央部に配置されている。第１のディスク１１の中央部のカラム１３は、第２のディスク１２の孔１５に挿通されることができる。図１に示されるロック１４が、第１のディスク１１のカラム１３を備えていてもよい。ロックメカニズムは、ディスクプレーヤの適切な装置によって簡単に開けられることができ、これにより、２つのディスクが分離され駆動されることを可能にする。ディスクは、別個のハブから駆動されるか、又は結合されたやり方で駆動されるように結合されたままでもよい。
【００１４】
分割される場合、ディスクは距離Ｄだけ動かされる。この距離は、ディスクのアクセス面１６を構成するディスクの内側面へのアクセスを可能にするのに十分大きい。レーザビームが、１つ又は双方の面１６の情報を同時に読み取るために使用される。
【００１５】
いったんディスクの情報が抽出され又は挿入された場合、２つのディスクは再結合されることができ、カラムロックメカニズムが、２つのディスクを一緒に取り付けるために使用される。新たにラベリングされる情報は、ディスクのアクセス面とは反対側にある外側面の裏側に書き込まれることができる。
【００１６】
本発明の第２の実施形態が、図３及び図４に示される。第２の実施形態による光データ記憶媒体は、２つのディスク、第１のディスク１１及び第２のディスク１２を有している。第１のディスクは円の形状をもつ。カラム３３が、第１のディスク１１の中央部に設けられている。カラム３３は、第１のディスク１１のアクセス面から突き出ている。更に、凹設面３１及び側壁部３２によって形成されたキャビティ（cavity，空所）が、第１のディスク１１のアクセス面に設けられている。キャビティのエッジは環状である。第２のディスク１２のエッジも環状の形をもつ。第２のディスク１２は、第２のディスク１２のアクセス面の反対側の方向に突き出る第２の中央カラム３４を有している。第２のディスク１２の直径は、第１のディスク１１のキャビティの直径にぴったり一致し、第１のディスク１１の直径の方が僅かに大きい。第２のディスクのエッジ及び第１のディスク１１のキャビティの内側壁は、これらがロックを作り出すように丸みをつけられた反り（camber，キャンバ）によりプロファイル（profile，形成）されるべきである。このロックは、２つのディスクの機械的カップリング及びデカップリングを容易に行なうように考案され、しかも、このプロファイルの機械的形態の特徴によって、このようなデカップリングの履歴の検出も可能にする。
【００１７】
複数の矢印が図３に示される。これらの矢印は、第２のディスク１２に付与される力を示す。矢印３８により示される中心の力は、第２のディスク１２のアクセス面と逆方向に第２のディスク１２に付与される。更に、矢印３９により示される力が、第２のディスク１２の周囲に付与される。第２のディスク１２に作用する中心の力及び周囲の力は、第２のディスクを僅かに変形させる。第２のディスク１２の周囲は、中心の力３８の逆側に向かって僅かに下向きに曲げられる。従って、第２のディスク１２の周囲の直径は縮小される。この位置において、第２のディスクは第１のディスク１１のキャビティに挿入されることができる。図４は、第１のディスク１１のキャビティに挿入された第２のディスク１２を示す。もはや中心及び周囲の力が第２のディスク１２に付与されていない場合、このディスクが弾力的に変形されていたので、第２のディスク１２の変形は逆に戻る。第２のディスクの直径は、第２のディスクの周囲が第１のディスク１１のキャビティの側壁に対して押し付けられるように、増大する。この境界とこの周囲との間の摩擦のために、堅固な連結が得られる。
【００１８】
上記に説明された光データ記憶媒体の少なくとも１つの記憶層から情報を再生し、又はこの記憶層に情報を記録するための装置（図示略）は、第１のディスク及び第２のディスクの少なくとも１つを当該装置に挿入する手段と、少なくとも１つの記憶層がレーザビームによって読み取り可能であるように、第１のディスク及び第２のディスクの少なくとも１つを位置付けして回転させるための手段とを有する。
【００１９】
この装置は、更に、第１のディスクと第２のディスクとを互いに分離するための手段も有する。このことは、ユーザが第１のディスク及び第２のディスクを手動で分解する必要がないという利点をもつ。これにより、アクセス面への損傷の可能性が更に減少される。
【図面の簡単な説明】
【００２０】
【図１】ロックされた状態の本発明の第１の好ましい実施形態による光記憶媒体を示す図である。
【図２】アンロックされた状態の本発明の第１の実施形態を示す図である。
【図３】アンロックされた状態の本発明の第２の実施形態を示す図である。
【図４】ロックされた状態の本発明の第２の実施形態を示す図である。
【図１】
2007534096.tif 000003
【図２】
2007534096.tif 000004
【図３】
2007534096.tif 000005
【図４】
2007534096.tif 000006
【国際調査報告】
2007534096.tif 000007
2007534096.tif 000008
2007534096.tif 000009